(57)【要約】【課題】一般市販の貯水容器を利用して水耕式植栽を簡便に行うことが出来、移動過程に底部からの水漏れの心配のないプランターを得る。【解決手段】貯水容器１１の内部を通気孔１２を有する有孔仕切板１３によって上下深さ方向に土載部１４と貯水部１５に仕切り、貯水部１５の上側にパイプ差込孔１６を設け、そのパイプ差込孔１６に貯水部の底面側へと続く排水パイプ１７を接続してプランターを構成する。パイプ差込孔の周縁の下側１８から貯水部の底面２３までの距離（深さｄ）を４０ｍｍ以上、パイプ差込孔の周縁の下側１８から仕切板１３の上面までの距離（高さｔ）を４０ｍｍ以下、パイプ差込孔の周縁の下側１８の仕切板１３からの距離と底面側に続く排水パイプの先端１９の仕切板１３からの距離との差（ｅ）を２０ｍｍ以上、仕切板１３から貯水容器の上縁２０に到る土載部の深さ（ｈ）を３０ｍｍ以上にするとよい。【選択図】図１
2005278556.tif 000002
【特許請求の範囲】
【請求項１】
貯水容器（１１）の内部が通気孔（１２）を有する有孔仕切板（１３）によって、上下深さ方向に土載部（１４）と貯水部（１５）に仕切られており、貯水部（１５）の上側にパイプ差込孔（１６）が設けられており、そのパイプ差込孔（１６）に貯水部の底面側へと続く排水パイプ（１７）が接続されていることを特徴とするプランター。
【請求項２】
パイプ差込孔の周縁の下側（１８）から貯水部の底面（２３）までの距離（深さｄ）が４０ｍｍ以上、パイプ差込孔の周縁の下側（１８）から仕切板（１３）の上面までの距離（高さｔ）が４０ｍｍ以下、パイプ差込孔の周縁の下側（１８）の仕切板（１３）からの距離と底面側に続く排水パイプの先端（１９）の仕切板（１３）からの距離との差（ｅ）が２０ｍｍ以上、仕切板（１３）から貯水容器の上縁（２０）に到る土載部の深さ（ｈ）が３０ｍｍ以上であることを特徴とする前掲請求項１に記載のプランター。
【請求項３】
給水パイプ（２１）が土載部側から貯水部側へと仕切板（１３）を貫通していることを特徴とする前掲請求項１と請求項２の何れかに記載のプランター。
【請求項４】
給水パイプ（２１）の下端（２２）から仕切板（１３）までの距離（深さｆ）が４０ｍｍ以上であることを特徴とする前掲請求項３に記載のプランター。
【請求項５】
排水パイプ（１７）が軟質樹脂に成り、排水パイプ（１７）の外径がパイプ差込孔（１６）の内径よりも大きいことを特徴とする前掲請求項１と請求項２と請求項３と請求項４の何れかに記載のプランター。
【請求項６】
上縁（２０）に囲まれる貯水容器（１１）の開口部（２４）の面積が３００ｃｍ2 以上であることを特徴とする前掲請求項１と請求項２と請求項３と請求項４と請求項５の何れかに記載のプランター。
【発明の詳細な説明】
【技術分野】
【０００１】
本発明は、水耕栽培、底面灌水、底面給湿等の水耕式植栽に有用なプランターに関するものである。
【背景技術】
【０００２】
本発明者は、糸条を束ねた糸束を土壌に代わる植栽資材として使用する水耕式植栽法を特願平７−２９１７０５、特願平７−２９１７０６、特願平８−１８８０９３、特願平９−１１１９０７、特願平１０−１１２７６６、特願平１１−２２１２７４に開示している（例えば、特許文献１参照）。この水耕式植栽法は、縦長にした糸束の下側を水中に沈め、水面から突き出た糸束の上端に種を播き、或いは、苗を載せて植栽するものであり、植物は糸条に沿って根を降ろし、水中に根を張って生育する。この糸束を使用した水耕式植栽法では、土は必ずしも必要としないが、それが植物の生育を促進する微量成分を有しているためなのか、或いは、植物の生育に有効な土壌菌を有しているためなのか、その理由は定かでないとしても、水面から浮き出た糸束の上端に僅かでも土を載せると植物は勢いよく生育し、その載せた土が水中に沈むことなく糸束の上端に支持されて水に浸らない状態に維持するときは、黒疽菌その他の嫌気性菌の発生がなく、根腐れや水腐れが起きることはない。
【特許文献１】特開平９−１０７７９１号公報（特許請求の範囲と図面）
【発明の開示】
【発明が解決しようとする課題】
【０００３】
この水耕式植栽法では、プランターを水槽とし、その水槽に糸束を装填し、水位を糸束の上端より下方に維持するために、プランターの底部に穿設されている排水孔にパイプを取り付け、そのパイプの上端の位置を糸束の上端よりも下方に固定し、水槽への給水が過剰になったときは、そのパイプの上端から溢水（オーバーフロー）するようにしている。しかし、そのように構成された低部パイプ排水形プランターでは、その排水孔とパイプの間の僅かな隙間からの漏水が問題になる。
【０００４】
水位を糸束の上端よりも下方に維持する他の方法として、プランターを形の確りした内容器（上容器）と外容器（下容器）との内外（乃至は上下）二重構造にし、外容器の深さを内容器の深さと糸束の長さよりも浅くし、内容器の底部に透水孔を穿設し、内容器に糸束を装填し、外容器を水槽としてその中に内容器を装填し、過剰給水時に外容器の上縁から溢水して水位が糸束の上端より上に上昇しないようにする方法がある。しかし、そのように構成された内外二段式プランターでは、容器が内容器と外容器との二種類になるのでコスト高になり、それを移動するとき水面が揺れ動いて水が外容器の上縁から溢れ易く、又、往々にして外容器を忘れて内容器だけを持ち上げ、外容器が分離して取り残され、その持ち上げた内容器から滴が落ちて周囲を汚すなど、その移動時の取り扱い難い点が問題になる。
【０００５】
近時、プランター内部を有孔板で上下に仕切り、下側に給水孔を穿設し、その給水孔から下側の部分を水槽とし、有孔板の上側に土を装填して使用する底面灌水ないし底面給水式プランターが市販されている。しかし、この種のプランターでは、その移動時に給水孔から溢れ落ちる危険がある。そして、この種の底面乾燥式プランターでは、給水孔を介して土壌層の底面が外気に触れることになるので、水槽から土壌層へと湿気が伝わり難く、底面灌水ないし底面給水としては不十分である。
【０００６】
そして、水耕式植栽に使用される低部パイプ排水形プランター、内外二段式プランター（内容器）、および、底面乾燥式プランターの何れのプランターにおいても、土を装填し、地表に散水して植栽する在来の一般プランターと同様に排水孔や給水孔が底部に設けられているので水漏れの危険があり、それに植栽された植物を購入した顧客が車内に持ち込んでホームセンター等から帰る途中で揺れ動き、車内の座席や床カーペットを汚す等のトラブルが発生し易い。そして、その何れの底面乾燥式プランターも、在来の一般プランターとは構造が全く異なり、汎用性を欠くので製造コストが高くつき、水耕式植栽法が普及していない現在では、その在庫負担も大きく、その販売に伴うリスクも大きく、そのリスクを販売価格に上乗せすれば益々販売し難くなる等、実用上多くの点で問題をはらんでいる。
【０００７】
そこで本発明は、プラスチック製の漬物樽や洗面器、タライ、水槽、バケツ等の水を貯えて使用される容器や、プラスチック製の屑物入れやゴミ箱のように水を貯えることが出来てタライや水槽に転用することが出来る容器等の一般に市販されている貯水容器を利用して水耕式植栽を簡便に行うことが出来、植栽植物の物流過程やホームセンターからの帰路等の移動過程において底部からの水漏れの心配のないプランターを得ることを目的とする。
【課題を解決するための手段】
【０００８】
本発明に係るプランターは、貯水容器１１の内部が通気孔１２を有する有孔仕切板１３によって、上下深さ方向に土載部１４と貯水部１５に仕切られており、貯水部１５の上側にパイプ差込孔１６が設けられており、そのパイプ差込孔１６に貯水部の底面側へと続く排水パイプ１７が接続されていることを第１の特徴とする。
【０００９】
本発明に係るプランターの第２の特徴は、上記第１の特徴に加えて、パイプ差込孔の周縁の下側１８から貯水部の底面２３までの距離（深さｄ）を４０ｍｍ以上、パイプ差込孔の周縁の下側１８から仕切板１３の上面までの距離（高さｔ）を４０ｍｍ以下、パイプ差込孔の周縁の下側１８の仕切板１３からの距離と底面側に続く排水パイプの先端１９の仕切板１３からの距離との差（ｅ）を２０ｍｍ以上、仕切板１３から貯水容器の上縁２０に到る土載部の深さ（ｈ）を３０ｍｍ以上にした点にある。
【００１０】
本発明に係るプランターの第３の特徴は、上記第１と第２の何れかの特徴に加えて、給水パイプ２１が土載部側から貯水部側へと仕切板１３を貫通している点にある。
【００１１】
本発明に係るプランターの第４の特徴は、上記第３の特徴に加えて、給水パイプ２１の下端（貯水部側）２２から仕切板１３までの距離（深さｆ）を４０ｍｍ以上にした点にある。
【００１２】
本発明に係るプランターの第５の特徴は、上記第１、第２、第３、第４の何れかの特徴に加えて、排水パイプ１７が軟質合成樹脂やゴム等の弾性を有する軟質樹脂に成り、排水パイプ１７の外径がパイプ差込孔１６の内径よりも大きい点にある。
【００１３】
本発明に係るプランターの第６の特徴は、上記第１、第２、第３、第４、第５の何れかの特徴に加えて、上縁２０に囲まれる貯水容器１１の開口部２４の面積を３００ｃｍ2 以上にした点にある。
【発明の効果】
【００１４】
本発明（第１の特徴）のプランターの貯水部１５に貯えられている水２５は排水パイプ１７を介してパイプ差込孔１６から排出されるが、そのパイプ差込孔１６が貯水部の底部ではなく上側に設けられているので、排水パイプ１７が外れてもパイプ差込孔１６から水２５が自然に流出することなく、プランターの移動の際に水漏れの心配がない。特に、本発明のプランターは、水を貯えたバケツ等の一般市販の貯水容器とは異なり、貯水部の水２５が流出するためには細い排水パイプ１７を通らなければならず、而も、開口部２４が土壌層２６で塞がれているので、車内に持ち込んでもバケツ等の一般市販の貯水容器の場合のように振動によって水が波打って溢れ出ることはなく、その外側に突き出た排水パイプの先端を施栓することによって水漏れを完全に防止することも出来る。そして、その施栓箇所が水面２８よりも高所の排水パイプ１７の先端なので、そこに貯水部１５から水圧が作用することがなく、その施した栓が排水パイプ１７の先端が水圧を受けて外れ、水漏れが起きると言うこともない。
【００１５】
本発明（第２の特徴）によると、パイプ差込孔の周縁の下側１８から貯水部の底面２３までの距離（深さｄ）を４０ｍｍ以上、パイプ差込孔の周縁の下側１８から仕切板１３の上面までの距離（高さｔ）を４０ｍｍ以下、パイプ差込孔の周縁の下側１８の仕切板１３からの距離と底面側に続く排水パイプの先端１９の仕切板１３からの距離との差（ｅ）を２０ｍｍ以上、仕切板１３から貯水容器の上縁２０に到る土載部の深さ（ｈ）を３０ｍｍ以上としたので、植物の根元を支えるための土壌層２６を土載部１４に積層することが出来、その土壌層２６が水に漬かって嫌気性菌が発生したり根腐れを起こすこともなく、炎天下に必要とされる給水量を貯水部１５に確保することが出来る。そして、土壌層２６や植物２７を介して貯水部の水２５が発散され、貯水部の水位（２８）が変動するとしても、貯水部の水面２８と土壌層２６の間に外気に直接触れない気密室２９が確保され、そこに降ろした根３３が加湿状態に保たれるので、植物の生育に極めて良いプランターが得られる。
【００１６】
本発明（第３の特徴）によると、排水パイプ１７から流出するまで給水パイプ２１から直接貯水部１５に給水することが出来て水遺りを瞬時に行うことが出来、その給水パイプの上端３０が貯水容器の上縁２０に囲まれた土壌層２６の内側に突き出るので、給水パイプの上端３０が人手や異物に触れ難く格別邪魔にならない。
【００１７】
本発明（第４の特徴）によると、給水パイプの下端２２が排水パイプの先端１９と同様に貯水部１５に深く差し込まれ、給水パイプ２１を介して貯水部の水２５が外気に触れる面積が給水パイプの内径によって限られ、貯水部の水２５が給水パイプ２１を介して直接外部に蒸発する蒸発量が極めて少なく、貯水部の水面２８から蒸発する水分によって気密室２９に降ろした根３３が加湿状態に保たれる。
【００１８】
本発明（第５の特徴）によると、排水パイプ１７を差込孔１６に無理に差し込むことが出来、その無理に差し込んだ排水パイプ１７の外周面が差込孔１６の周縁に弾性的に密着するので、排水パイプ１７と差込孔１６の間の隙間からの水漏れの心配はない。
【００１９】
これは本発明の完成に到る過程で知り得たことであるが、根をとりまく土壌は、そこから蒸発する水が生じる気化熱によって根元を冷却し、真夏の炎天下でも根元の過剰昇温を抑え、植物の生育に好ましい所要の温度に保つ恒温効果を発揮する。この点、本発明（第６の特徴）では、上縁２０に囲まれる貯水容器１１の開口部２４の面積が３００ｃｍ2 以上としたので、茄子等の比較的大型の植物でも植栽可能なプランターが得られる。因に、慣用される清涼飲料水用の容量２０００ｃｃのペットボトルを利用して試作した開口部２４の面積が１００ｃｍ2 程度のプランターに植えた茄子は、数本に枝分かれをして背丈５０ｃｍ前後に成長して２〜３個結実したが、真夏になると成長が止まり、その後、食用し得る結実を見ることが出来なかったが、その開口部２４の面積を３００ｃｍ2 前後にした土載部１４の深さが７０ｍｍ前後、貯水部１４の深さが８０ｍｍ前後で全体の深さが１５０ｍｍ前後のプランターに厚みが５０ｍｍ前後の土壌層２６を積層したものでは、真夏の炎天下でも枝葉が萎れることなく成長し続け、枝払い（枝切り）によって秋茄子を収穫することが出来た。
【発明を実施するための最良の形態】
【００２０】
貯水容器１１は、プラスチック製バケツ、プラスチック製ゴミ箱、プラスチック製漬物槽等の所謂“ポリ容器”と同様にプラスチック射出成形によって形成するとよい。貯水部１５には、前記特許文献１に記載の糸束（植栽資材）３１や軽石等の嵩高で空隙の多い資材を挿填し、それによって仕切板１３を支えるようにするとよい。その場合、糸束等３１を嵩高な状態に維持するために、仕切板１３を支える脚材３２を貯水部１５に挿填するとよい。
【００２１】
仕切板１３の通気孔１２は、植物２７が仕切板１３を貫通して貯水部１５へと根３３を降ろすようにするために設けられるが、貯水部１５に糸束３１や軽石、或いは、脚材３２を挿填する場合、仕切板１３にはネットや目粗な布帛等の柔軟可撓なシートを用いることも出来る。
【００２２】
糸束３１は、前記特許文献１に記載の通り土壌に代わる植栽資材として使用し得るものであり、その糸束３１を使用する限り土壌２６は必ずしも必要とされない。しかし土壌２６は、植物２７が地植えされているかの如くプランターを装う装飾材にもなり、又、前記の通り、植物の生育に必要な微量成分や土壌菌を有するが故に必要とされるものであり、その層厚（ｃ）は５ｍｍ程度であってもよい。しかし土壌層２６は、植物の根元を支える支材としても有効であり、その支材としての層厚（ｃ）は２０ｍｍ以上にするとよい。とは言え、水槽を使用しない従来のプランターで植栽する場合のように、土壌層２６の層厚（ｃ）を１００ｍｍ以上にする必要はない。特に、前記特許文献１に記載の糸束３１を使用する場合、それが土壌層２６を支える支材となると同時に土壌に代わる植栽資材にもなるので、その糸束３１を使用する場合には、土壌層２６の層厚（ｃ）を３０〜５０ｍｍにすれば十分である。そして、糸束３１を使用したプランターでは、ウコン等の根菜類は、糸束３１を伝って水中に大きい根茎をつくるが、土壌層２６と水面２８の間が僅かながらも常時離れ、土壌層２６が直接水に漬かることがなければ、根腐れや水腐れは起きない。土壌層２６に水２５が直接触れないようにすると共に、粉粒状の土壌物質が貯水部１５に溢れ落ちないようにするには、枯草や腐葉土、ネット等による防砂層を土壌層２６の底面に積層するとよい。
【００２３】
貯水部１５の深さ（ｄ）を４０ｍｍ以上とし、排水パイプ１７の差込み深さ（ｅ）を２０ｍｍ以上にするのは、真夏の炎天下に植物の水揚げ量が多く、植物の種類によっては貯水部の水面２８が２０ｍｍ以上も降下することもあるためである。従って、水遣り（散水や給水）を２〜３日せずに済むようにするために、貯水部１５の深さ（ｄ）を７０ｍｍ以上にすることが望ましい。これらの点を考慮し、プランター全体の深さを１２０〜３００ｍｍとし、土載部１４の深さ（ｈ）を５０ｍｍ以上にし、排水パイプ１７の太さ（外径）を１０ｍｍ前後（１５ｍｍ以下）にして仕切板１３（土載部１４）からパイプ差込孔１６の周縁の下側１８に到る気密室２９の最小厚み（ｔ）を１５ｍｍ以下にし、貯水部１５の深さ（ｄ）を７０ｍｍ以上（ｄ≧７０ｍｍ）にし、排水パイプ１７の差込み深さ（ｅ）を５０ｍｍ以上にし、植物の水揚げ量の多い夏期の炎天下においても排水パイプの先端１９が水面２８の下にあり、排水パイプ１７を介して外気に触れず加湿状態の気密室２９が貯水部１５に確保されるようにする。
【図面の簡単な説明】
【００２４】
【図１】本発明に係るプランターの一部切截組立斜視図である。
【符号の説明】
【００２５】
１１：貯水容器
１２：通気孔
１３：仕切板
１４：土載部
１５：貯水部
１６：パイプ差込孔
１７：排水パイプ
１８：周縁の下側
１９：排水パイプの先端
２０：貯水容器の上縁
２１：給水パイプ
２２：給水パイプの下端
２３：底面
２４：開口部
２５：水
２６：土壌層
２７：植物
２８：水面
２９：気密室
３０：給水パイプの上端
３１：糸束
３２：脚材
３３：根
【図１】
2005278556.tif 000003